(57)【要約】      （修正有）【課題】使用者が掛け布団の下で動いても、掛け布団は使用者に対する物理的な配置を維持する掛け布団を提供する。【解決手段】掛け布団１０は、縫合線が上側布層と下側布層を連結する上側布層および下側布層と、それにより画定されたコア部分１２の容積内の充填物とを含む。縁取り部分１４、１６は、コア部分の上縁部および下縁部に取り付けられ、コア部分の上縁部は、ギャザリング２８され、頭側縁取り部分がそれに縫い付けられる。ギャザリングされていないときのコア部分の上縁部の幅は、ギャザリングされ且つ頭側縁取り部分に縫合されているときより約２０〜７５％幅広である。ギャザリングされていないときのコア部分の下縁部は、ギャザリングされ且つ足側縁取り部分に縫合されているときより約０〜５０％幅広である。側方縁取り部分は、コア部分の両側に、また頭側および足側縁取り部分の両端に固定される。【選択図】図２
2008253732.tif 000002
【特許請求の範囲】
【請求項１】
頭側端部、足側端部及び側縁部を有するコア部分であって、上側布層及び下側布層を含み、縫合線が前記上側布層と前記下側布層を連結しており、充填材が前記縫合線によって画定された前記コア部分の容積内に充填されている、コア部分と、
前記コア部分の上縁部に取り付けられる頭側縁取り部分とを備える掛け布団であって、
前記コア部分の前記上縁部は、前記掛け布団の製造中にギャザリングされ且つ頭側縁取り部分に縫合され、前記コア部分の前記上縁部の幅は、前記上縁部が前記頭側縁取り部分に縫合される前、ギャザリングされていないとき、前記上縁部がギャザリングされ且つ前記頭側縁取り部分に縫合されたときよりも２０〜７５％広い、
掛け布団。
【請求項２】
前記コア部分の下縁部は、ギャザリングされ且つ足側縁取り部分に縫合され、前記コア部分の前記下縁部の幅は、前記コア部分の前記下縁部が前記足側縁取り部分に縫合される前、ギャザリングされていないとき、前記下縁部がギャザリングされ且つ前記足側縁取り部分に縫合されたときよりも約０〜５０％広い、請求項１に記載の掛け布団。
【請求項３】
前記コア部分の前記上縁部は、ギャザリングされていない形態では、ギャザリングされた形態より約１．４倍広い幅を有しており、前記コア部分の前記下縁部は、ギャザリングされていない形態では、ギャザリングされた形態より約１．１０倍広い幅を有している、請求項１に記載の掛け布団。
【請求項４】
前記コア部分は、前記コア部分が使用されるマットレスの上部より最大５０．８ｃｍ（２０インチ）大きい幅を有している、請求項１に記載の掛け布団。
【請求項５】
前記コア部分の前記側縁部と前記頭側および足側縁取り部分の端部とに縫合される側方縁取り部分を含む、請求項１に記載の掛け布団。
【請求項６】
前記頭側および足側縁取り部分の各々が、約２２．９ｃｍ（９インチ）の幅を有しており、前記側方縁取り部分の各々が、約３８．１ｃｍ（１５インチ）の幅を有している、請求項５に記載の掛け布団。
【請求項７】
掛け布団を製造する方法であって、
前記掛け布団のコア部分を製造する工程であって、前記コア部分は、上側布層及び下側布層を含み、縫合線が前記上側布層と下側布層を連結しており、充填材が前記縫合線によって画定される前記コア部分の容積内に配置されており、前記縫合線と前記充填は、頭側縁取り部分の取り付け前または取り付け後に達成される、前記掛け布団のコア部分を製造する工程と、
前記コア部分の上縁部に頭側縁取り部分を取り付ける工程であって、前記コア部分の前記上縁部は、前記頭側縁取り部分を取り付ける前にギャザリングされ、ギャザリングされていないときの前記コア部分の前記上縁部は、ギャザリングされ且つ前記コア部分に取り付けられたときより、約２０〜７５％広い幅を有し、前記頭側縁取り部分が、前記頭側縁取り部分が前記コア部分に取り付けられる前または取り付けられた後に充填材で充填される、前記コア部分の上縁部に頭側縁取り部分を取り付ける工程とを含む、掛け布団を製造する方法。
【請求項８】
前記コア部分の下縁部に足側縁取り部分を取り付ける工程であって、前記コア部分の前記下縁部は、前記足側縁取り部分を取り付ける前にギャザリングされ、ギャザリングされていないときの前記コア部分の前記下縁部は、ギャザリングされ且つ前記コア部分に取り付けられたときより、約０〜５０％広い幅を有し、前記足側縁取り部分が、前記コア部分に取り付けられる前または取り付けられた後に充填材で充填される、前記コア部分の下縁部に足側縁取り部分を取り付ける工程を含む、請求項７に記載の方法。
【請求項９】
ギャザリングされていないときの前記コア部分の前記上縁部が、ギャザリングされ且つ前記コア部分に取り付けられたときより、約１．４５倍広い幅を有し、ギャザリングされていないときの前記コア部分の前記下縁部が、ギャザリングされ且つ前記コア部分に取り付けられたときより、約１．１倍広い幅を有している、請求項８に記載の方法。
【請求項１０】
前記コア部分の側縁部と前記頭側および足側縁取り部分の両端部に、側方縁取り部分を取り付ける工程を含む、請求項８に記載の方法。
【発明の詳細な説明】
【技術分野】
【０００１】
本発明は、概して、掛け布団に関し、より詳細には、特定のコア部分形態および構成を有する掛け布団に関する。
【背景技術】
【０００２】
掛け布団は、世界中の消費者によって広く使用され好まれる、様々な形態および構造上の構成を有する、よく知られた寝具製品である。例えば、掛け布団によっていくらか差はあるが、全て比較的軽量で暖かさの程度が高いという利点がある。ほとんどの掛け布団の優雅な外観も使用者にとっては非常に魅力的である。
【発明の開示】
【発明が解決しようとする課題】
【０００３】
しかし、掛け布団にはいくつかの欠点がある。掛け布団は、比較的軽量であるが、ベッド上の特定の現在位置で、１人または複数の使用者の上に密に配置されるようになる傾向がある。使用者のうち１人または複数が位置を変えると、通常、使用者を覆う掛け布団の配置が変化することになり、それは、快適さに影響することがある。したがって、使用者が掛け布団の下で動いても、掛け布団は、使用者に対する物理的な配置を維持することが望ましい。
【課題を解決するための手段】
【０００４】
したがって、頭側端部、足側端部及び側縁部を有するコア部分であって、上側布層及び下側布層を含み、縫合線が前記上側布層と前記下側布層を連結しており、充填材が前記縫合線によって画定されたコア部分の容積内に充填されている、コア部分と、前記コア部分の上縁部に取り付けられる頭側縁取り部分であって、前記コア部分の前記上縁部は前記掛け布団の製造中にギャザリングされ且つ頭側縁取り部分に縫合され、前記上縁部が前記頭側縁取り部分に縫合される前であってギャザリングされていないとき、前記コア部分の前記上縁部の幅は、前記上縁部がギャザリングされ且つ前記頭側縁取り部分に縫合されたときよりも２０〜７５％広い、頭側縁取り部分とを含む、掛け布団が本明細書に記載される。
【０００５】
さらに、掛け布団を製造する方法であって、前記掛け布団のコア部分を製造する工程であって、前記コア部分は、上側布層及び下側布層を含み、縫合線が前記上側布層と下側布層を連結しており、充填材が前記縫合線によって画定される前記コア部分の容積内に配置されており、前記縫合線と前記充填は、頭側縁取り部分の取り付け前または取り付け後に達成される、前記掛け布団のコア部分を製造する工程と、前記コア部分の上縁部に頭側縁取り部分を取り付ける工程であって、前記コア部分の前記上縁部は、前記頭側縁取り部分を取り付ける前にギャザリングされ、ギャザリングされていないときの前記コア部分の前記上縁部は、ギャザリングされ且つ前記コア部分に取り付けられたときより、約２０〜７５％広い幅を有し、前記頭側縁取り部分は、前記頭側縁取り部分が前記コア部分に取り付けられる前または取り付けられた後に充填材で充填される、前記コア部分の上縁部に頭側縁取り部分を取り付ける工程とを含む、掛け布団を製造する方法が、本明細書に記載される。
【発明を実施するための最良の形態】
【０００６】
図１および図２は、本発明の掛け布団１０の製造後の最終形状を示す。掛け布団１０は、コア部分１２を含み、そのコア部分１２は、上側又は頭側縁取り部分１４、下側又は足側縁取り部分１６および２つの側方縁取り部分１８および２０に縁取られている。これら縁取り部分を取り付ける前のコア部分１２は、図３に示され、縁取り無しの（ｕｎｂｏｒｄｅｒｅｄ）コア部分と称される。図示の実施形態では、縁取り無しのコア部分１２の上縁部２４の幅は、頭側縁取り部分１４がコア部分１２に取り付けられたときに、その結果得られるコア部分１２の上縁部の幅の約１．４５倍である。縁取り無しのコア部分１２の下縁部２６の幅は、足側縁取り部分１６がコア部分に取り付けられたときの下縁部の幅の約１．１倍である。
【０００７】
製造中における、縁取り無しのコア部分と縁取られたコア部分の間の幅の減少は、最初に、コア部分の上縁部および下縁部をギャザリングし（ｇａｔｈｅｒｉｎｇ）、またはこれらにプリーツを形成し（ｐｌｅａｔｉｎｇ）、次に、ギャザー／プリーツが形成された縁部を、それぞれ頭側および足側縁取り部分に縫合によって取り付けることにより行われる。２８に全体に示すこれらのギャザー又はプリーツは、コア部分１２の縁部の端から端まで間隔をあけて配置され、その結果、完成した状態の掛け布団は「ｄｏｍｅｄ（ドーム状の）」または持ち上げられた外観を有する。図示の実施形態では、コア部分１２の上縁部２４は、下縁部２６よりもギャザーまたはプリーツが形成されており、したがって完成した掛け布団の状態でドーム形の効果がより大きくなるが、両方を同じにもできる。
【０００８】
上述の特定の実施形態より概略的には、コア部分１２の縁取り無しの上縁部２４は、頭側縁取り部分１４の取付け後の縁取られた上縁部より、２０〜７５％幅広く、縁取り無しの下縁部は、縁取られた下縁部より、最大５０％幅広い。したがって、上縁部が常にいくつかのギャザー／プリーツを形成して、掛け布団の上側領域にドーム形の効果を生み出す一方、下縁部は、縁取り無しの構成と縁取られた構成との間で同じ幅を有する、すなわち、ギャザーもプリーツも形成しないようにすることができる。
【０００９】
コア部分１２は、同一の２つの布地部分３２および３４を含む。布地部分３２および３４は、完成した掛け布団が、掛け布団がその上で使用される、所望のマットレスの寸法を覆うように構成され、その寸法は、ツイン、標準、クイーンおよびキングサイズの従来の寸法を含む。（ギャザリングされ、縁取り部分を取り付けた後の）完成した掛け布団のコア部分は、およそマットレスの上部の寸法か、またはマットレスの上部よりいくらか（最大５０．８ｃｍ（２０インチ））幅広にすることができる。
【００１０】
２つの布地部分３２および３４は、縫合線３１に沿って共に縫合されて、図示のように複数の縫い通された（ｓｅｗｎ−ｔｈｒｏｕｇｈ）ボックスを形成する。他の縫い通し形態／パターンを使用することができる。布地部分３２および３４の周縁部は、コア部分１２を形成するように固定され、典型的には、充填材がコア部分に配置され（予め充填され）、その後縫合線３１で縫い通されたボックスを形成する。このようにして、充填材は、使用中も縫合線３１によって画定されるボックス中に残る。縫合および充填は、縁取り部分の取付け後に行うことができる。ボックスは隔壁（ｂａｆｆｌｅ）部材によって形成することもできる。上縁部および下縁部にギャザーを形成し、縁取り部分を取り付ける前に、コア部分１２が完成すると、いくらかくさび形で上縁部２４が下縁部２６より幅広い、全体的に図３の外観を有する。
【００１１】
次いで、布製でありその周囲を縫製される縁取り部分は、コア部分１２の縁部に取り付けられる。上側および下側縁取り部分１４、１６は、図示の実施形態ではそれぞれ約２２．９ｃｍ（９インチ）の幅であり、側方縁取り部分１８および２０は、幅約３８．１ｃｍ（１５インチ）である。しかし、これらの寸法は変更することができる。縁取り部分の隅部、すなわち側方縁取り部分が上側および下側縁取り部分と出合う箇所は、図示のように角度がつけられるかまたは斜め継ぎにされる。それらは、直角（ｓｑｕａｒｅ）でもよく、他の継ぎ目形態でもよい。次いで、縁取り部分がコア部分１２に取り付けられるが、このとき、上記に示したように、コア部分の上縁部と下縁部の幅が同じであり、特定のマットレスの寸法に合うように寸法設定されるようにして、頭側および足側縁取り部分が、ギャザリングされたコア部分の上縁部と下縁部に縫い付けられる。側方縁取り部分は、従来の方法でコア部分の側縁部に縫い付けられる。
【００１２】
次いで、縁取り部分は、羽毛、ダウン、ポリエステル材料またはそれらのいくつかの組合せなどの充填材で充填される。縁取り部分は、あるいは、予め充填することができる。必ずしもそうではないが典型的には、各線の長さが約２．５４〜１．２７ｃｍ（１〜１／２インチ）である、小さい十字形の縫合線がそれぞれの縁取り内に作られ、縁取り部分を形成する２つの布地材料を連結する。その十字形に縫い通された仮留め（ｔａｃｋ）は、約２５．４ｃｍ（１０インチ）離れており、全ての縁取り部分において中央に配置される。それらは、コア部分の縁部とほぼ同一線上の位置から始まっている。十字形の線は、充填物の移動を低減する助けとなる。ボックス形、ダイヤモンド形など他の縫製パターンを使用することができ、または、縁取り部分の縫製を無くすことも可能である。
【００１３】
図示の実施形態は、上側および下側縁取り部分ならびに２つの側方縁取り部分を含むが、上側および下側縁取り部分のみが必要であることを理解されたい。
上述の構成の結果、ドーム状の形態を有する掛け布団が得られ、この掛け布団では、掛け布団がマットレス上に配置されたときに掛け布団の中心が縁部より高く、それにより、掛け布団とマットレスの間に空間領域をもたらし、そのため、使用者上の掛け布団の位置に大きな影響を与えることなしに、使用者が掛け布団の下で位置を変えることができるようになる。これは、使用中、特に複数の人が掛け布団で覆われるときに掛け布団によってもたらされる快適性を増す。したがって、従来の掛け布団で起きる掛け布団の大きな動きを生じさせることなく、使用者のうち１人または両方の動きが起こり得る。頭側縁取り領域は、使用者が位置をずらすときに起きることがある隙間風を緩和する。
【００１４】
本発明の好ましい実施形態を例示の目的で本明細書に記載してきたが、様々な変形、変更および代用物を、特許請求の範囲によって定義される本発明の精神から逸脱することなしに、実施形態に組み込むことができることを理解されたい。上記および特許請求の範囲に使用される「ギャザリングされた」という用語は、プリーツを形成する、折り畳む、ギャザーを形成するまたはコア部分の縁部を構成する他の同様の工程を含む、上および下縁部の寸法を減少させるために材料をギャザリングする様々な形態を含む。
【図面の簡単な説明】
【００１５】
【図１】コア部分および取り付けられた縁取り部分を含む、一実施形態の完成した掛け布団の上面図である。
【図２】図１の完成した掛け布団の斜視図である。
【図３】縁取り部分を取り付ける前の、掛け布団のコア部分の上面図である。
【図４】図１の掛け布団の頭側端部の立面図である。
【符号の説明】
【００１６】
１０  掛け布団
１２  コア部分
１４  上側縁取り部分
１６  下側縁取り部分
１８、２０  側方縁取り部分
２４  上縁部
２６  下縁部
２８  ギャザー
３１  縫合線
３２、３４  布地部分
【図１】
2008253732.tif 000003
【図２】
2008253732.tif 000004
【図３】
2008253732.tif 000005
【図４】
2008253732.tif 000006
【外国語明細書】
2008253732000001.pdf